(57)【特許請求の範囲】
【請求項１】
外部装置との間で送受信される信号を終端し、制御主体となる光回線終端装置としての複数のＯＳＵと、前記制御主体に対して客体となる光回線終端装置としての複数のＯＮＵとが光伝送路で接続された構成において、連続信号で送信するＯＳＵ間通信と、ＯＮＵからバースト信号で送信するＯＮＵとＯＳＵ間通信とを並行して行う光集線ネットワークシステムであって、
前記ＯＳＵ間通信を複数のＯＳＵ間で行う際に、２以上の他ＯＳＵから前記光伝送路を経由して送信されてきた、各々受信時に異なる位置となるようにデータが重畳された異なる波長の各連続信号を受信して分離し、この分離後の各々の連続信号に格納されたＯＳＵ宛のデータ部分のみを抽出するバースト化処理を行う受信処理部を、前記ＯＳＵの外部又は内部に備える
ことを特徴とする光集線ネットワークシステム。
【請求項２】
前記受信処理部は、
前記ＯＮＵから前記連続信号のデータ重畳位置の受信タイミングと異なる受信タイミングとなるように送信され、当該連続信号と異なる波長のバースト信号を受信して前記連続信号と分離する
ことを特徴とする請求項１に記載の光集線ネットワークシステム。
【請求項３】
前記ＯＳＵは、
通信対象のＯＳＵ間の距離又は遅延時間を測定し、当該測定された距離又は遅延時間を基に、前記２以上の他ＯＳＵからの連続信号に重畳された各データを、前記ＯＮＵからのバースト信号に重複しないように受信可能とする、前記２以上の他ＯＳＵの各々における送信タイミングを求める送信タイミング導出部を備え、
前記送信タイミング導出部で求められた前記送信タイミングが、前記２以上の他ＯＳＵへ送信されて該当する他ＯＳＵに設定されるようにした
ことを特徴とする請求項２に記載の光集線ネットワークシステム。
【請求項４】
前記ＯＳＵは、
前記設定された送信タイミングに応じて、他送信側のＯＳＵの連続信号に重畳されるデータの受信タイミングと、前記ＯＮＵからのバースト信号の受信タイミングとに対応する連続信号のタイムスロット以外の、タイムスロットに、受信側のＯＳＵ宛のデータを割り当てる
ことを特徴とする請求項３に記載の光集線ネットワークシステム。
【請求項５】
前記ＯＳＵは、
他ＯＳＵへ送信する連続信号に、当該他ＯＳＵに配備されるバースト受信機で検出可能なバーストヘッダを付加する送信制御部
を備えることを特徴とする請求項１〜４の何れか１項に記載の光集線ネットワークシステム。
【請求項６】
外部装置との間で送受信される信号を終端し、制御主体となる光回線終端装置としての複数の上位の光伝送装置と、前記制御主体に対して客体となる光回線終端装置としての複数の下位の光伝送装置とが、光伝送路で接続された構成において、他の上位の光伝送装置との通信を連続信号で送信して行うと共に、バースト信号で送信を行う下位の光伝送装置と通信を行う上位の光伝送装置であって、
前記上位の光伝送装置間通信を複数の上位の光伝送装置間で行う際に、２以上の他上位の光伝送装置から前記光伝送路を経由して送信されてきた、各々受信時に異なる位置となるようにデータが重畳された異なる波長の連続信号を受信して分離し、この分離後の各々の連続信号に格納された上位の光伝送装置宛のデータ部分のみを抽出するバースト化処理を行う受信処理部
を備えることを特徴とする光伝送装置。
【請求項７】
他の前記上位の光伝送装置へ送信する連続信号に、当該上位の光伝送装置に配備されるバースト受信機で検出可能なバーストヘッダを付加する送信制御部
を備えることを特徴とする請求項６に記載の光伝送装置。
【請求項８】
外部装置との間で送受信される信号を終端し、制御主体となる光回線終端装置としての複数の上位の光伝送装置と、前記制御主体に対して客体となる光回線終端装置としての複数の下位の光伝送装置とが、光伝送路で接続された構成において、他の上位の光伝送装置との通信を連続信号で送信して行うと共に、バースト信号で送信を行う下位の光伝送装置と通信を行う上位の光伝送装置による光伝送方法であって、
前記上位の光伝送装置は、
前記上位の光伝送装置間通信を複数の上位の光伝送装置間で行う際に、２以上の他上位の光伝送装置から前記光伝送路を経由して送信されてきた、各々受信時に異なる位置となるようにデータが重畳された異なる波長の連続信号を受信して分離するステップと、
前記分離後の各々の連続信号に格納された上位の光伝送装置宛のデータ部分のみを抽出するバースト化処理を行うステップと
を実行することを特徴とする光伝送方法。
【発明の詳細な説明】
【技術分野】
【０００１】
本発明は、ＰＯＮ(Passive Optical Network)等を用いたリング型のネットワークにおいて、上位の光伝送装置間の通信と、下位と上位の光伝送装置間の通信との双方を並行して行う光集線ネットワークシステム、光伝送装置及び光伝送方法に関する。
【背景技術】
【０００２】
ＰＯＮは、光ファイバ網の途中に分岐装置（光カプラ）が挿入された１本の光ファイバが、複数の加入者で共有可能な光ネットワーク（ネットワークはＮＷとも称す）である。このＰＯＮを適用したＮＷは基本的にツリー型であり、リング型には適用されていない。ＰＯＮでは、任意のノードであるＯＮＵ(Optical Subscriber Unit)間で直接通信を行うことが不可能となっており、基本的にＯＳＵとＯＮＵ(Optical Network Unit)間の通信のみをサポートしている。このため、ＯＮＵ間の通信には必ずＯＳＵを経由することが必要となる。
【０００３】
ここで、ブロードバンドアクセス網におけるＰＯＮでは、局舎に配置されるＯＬＴ(Optical Line Terminal)内のＯＳＵと、ユーザ宅に配置されるＯＮＵとが光ファイバ及び光カプラを介してリング接続される。通常、１台のＯＳＵに対して複数台のＯＮＵが接続され、ＯＳＵ−ＯＮＵ間において、ＴＤＭ(Time Division Multiplexing)又はＴＤＭＡ(Time Division Multiple Access)を適用して光の領域で信号（データ）の多重分離を行いつつデータを伝送する。複数のＯＮＵから１つのＯＳＵへ向かうデータ伝送は、ＴＤＭＡによるためバースト信号により行われる。このような伝送により、光ファイバ心線やＯＬＴ等のリソースが複数ユーザで共用可能となっている。
【０００４】
なお、ＯＬＴは局舎側の光回線終端装置（光伝送装置）であり、ＯＳＵは、ＰＤＳ(Passive Double Star)方式の光回線終端装置（上位の光伝送装置）である。ＯＮＵは、ユーザ宅側の光回線終端装置（下位の光伝送装置）としての加入者装置である。
【０００５】
ところで、ＰＯＮを適用したリング型ＮＷ等の光トランスポートＮＷ技術は着実に進歩しており、光パス帯域は１０Ｇｂｐｓから１００Ｇｂｐｓへと発展してきている。しかし、実際のサービスにおいて、そのデータレートは１０Ｇｂｐｓ以下であり、１０Ｇｂｐｓ以上のサービスは、近い将来でも総インタフェースの数％程度のトラヒック量であると予測されている。このため、ＮＷコストの観点から、１つの光パスに多くのユーザトラヒックを多重することが重要となる。
【０００６】
一方で、後述のメトロＮＷに接続され、一般ユーザ向けのＩＰ電話サービスを始めとした各種サービス処理を行うＩＰ(Internet Protocol)エッジルータは、装置当たりのコスト低減化、ユーザ収容効率の向上が課題となり、ＩＰエッジルータへ仮想化技術を適用したクラウドエッジが検討されている。なお、メトロＮＷは、通信キャリアのデータセンタと企業やビル間等を結ぶ都市部における通信網である。仮想化技術は、物理的に異なる装置間で、リソース使用量に応じた仮想マシンのマイグレーションによりリソース共有を可能とする技術である。例えば、物理的に異なるＩＰエッジルータ間でのリソース共有が可能となる。これら仮想マシンのマイグレーションにより、将来のメトロＮＷに流入するトラヒックは、動的に、宛先も含めてその量も変動すると予想される。このため、将来のメトロＮＷでは、クラウドエッジのサポートと、設備利用効率の向上が重要となっている。
【０００７】
このような仮想化されたクラウドエッジを収容するＯＳＵ間の通信と、ＯＮＵとＯＳＵ間の通信とを、ＰＯＮを適用したリング型ＮＷ上で行う場合について説明する。
図９は、従来のＰＯＮを適用したリング型ＮＷとしての光集線ＮＷシステム（システム）１０である。このシステム１０は、物理的に独立した上位装置としての複数の光伝送装置１１，１２と、物理的に独立した下位装置としての複数の光伝送装置１３，１４とが、光多重分離装置１６，１７，１８，１９を介して、信号伝送路としての１本の光ファイバ２０によりリング状に接続されて構成される。なお、光伝送装置１１，１２を上位装置１１，１２、光伝送装置１３，１４を下位装置１３，１４とも称す。
【０００８】
上位装置１１，１２には、光多重分離装置１６，１７に接続されたＴＸ（送信機）及びＢＲＸ（バースト受信機）を有するＯＳＵ２１，２２が配備されている。下位装置１３，１４には、光多重分離装置１８，１９に接続されたＢＴＸ（バースト送信機）及びＲＸ（受信機）を有するＯＮＵ２３，２４が配備されている。また、ＯＳＵ２１，２２にはコアＮＷを介してコンピュータ等の外部装置２５，２６が接続され、ＯＮＵ２３，２４にはアクセスＮＷを介してコンピュータ等の外部装置２７，２８が接続されている。つまり、ＯＳＵ２１，２２は、外部装置２５，２６との間で送受信される信号を終端し、制御主体となる光回線終端装置である。ＯＮＵ２３，２４は、外部装置２７，２８との間で送受信される信号を終端し、制御主体に対して客体となる光回線終端装置である。
【０００９】
また、各ＯＳＵ２１，２２に接続されたクラウドエッジ３０が１つの装置に見えるように仮想化されている。クラウドエッジ３０は、装置のリソース利用状況に応じてユーザ収容位置を動的に切り替える。装置のリソース利用状況はクラウドエッジ間で送受信される。このため、ＯＳＵ２１，２２間で通信を行う必要がある。ＰＯＮのＯＳＵは連続信号で送信されることが想定されているため、この通信は、「０」、「１」を繰り返す等の連続信号により行われる。例えば、破線矢印Ｙ１で示すように、ＯＳＵ２１のＴＸから光ファイバ２０を介してＯＳＵ２２へ波長λ１の連続信号が送信される。この送信された連続信号Ｙ１は、ＯＳＵ２２のＢＲＸで受信される。図１０（ａ）に「０」、「１」を繰り返す連続信号Ｙ１の波形を示す。
【００１０】
一方、図９に示すＯＮＵ２３，２４は、ＯＳＵ２１，２２と例えば１０Ｇｂｐｓのイーサネット（登録商標）で通信を行う。ＯＮＵ２３，２４からの通信は、ＯＳＵ２１又は２２に時分割で行う必要があるのでバースト的に行われる。このため、ＯＮＵ２３，２４からの送信は、図１０（ｂ）に波形の一例を示すバースト信号Ｙ２で行われる。このバースト信号Ｙ２は、図９に一点鎖線矢印Ｙ２で示すように、ＯＮＵ２４のＢＴＸから光ファイバ２０を介してＯＳＵ２２へ波長λ１と異なる波長λ２で送信される。この送信されたバースト信号Ｙ２は、ＯＳＵ２２のＢＲＸで受信される。
【００１１】
しかし、このシステム１０では、ＯＳＵ２１のＴＸから送信される図１０（ａ）に示す連続信号Ｙ１と、ＯＮＵ２４のＢＴＸから送信される図１０（ｂ）に示すバースト信号Ｙ２とが、ＯＳＵ２２のＢＲＸで受信される場合、次のような不具合が生じる。図１０（ｃ）に示すように、ＢＲＸで受信される連続信号Ｙ１とバースト信号Ｙ２との双方が重複し、双方が略同レベルであるため双方を適正に受信できなくなる。
【００１２】
そこで、連続信号Ｙ１とバースト信号Ｙ２を、ＯＳＵ２２で適正に受信するための技術として、非特許文献１，２に記載の技術がある。
【００１３】
非特許文献１の技術を、図１１に示すシステム１０Ａにより説明する。但し、図１１において図９と同一部分には同一符号を付し、その説明を省略する。非特許文献１の技術では、図１１に示すシステム１０Ａにおいて、各ＯＳＵ２１Ａ，２２ＡにＲＸ及びＢＲＸが設けられる。そして、一方のＯＳＵ２１ＡのＴＸから送信された連続信号Ｙ１を他方のＯＳＵ２２ＡのＲＸで受信し、ＢＲＸで、ＯＮＵ２４のＢＴＸから送信されたバースト信号Ｙ２を受信するようになっている。この技術によれば、連続信号Ｙ１とバースト信号Ｙ２とを別々の受信機で受信するので、各信号Ｙ１，Ｙ２を受信することができる。
【００１４】
非特許文献２の技術を、図１２に示すシステム１０Ｂにより説明する。但し、図１２において図９と同一部分には同一符号を付し、その説明を省略する。非特許文献２の技術では、図１２に示すシステム１０Ｂにおいて、１つの下位装置である光伝送装置１３Ａ内に、各ＯＳＵ２１，２２と通信を行う各ＯＮＵ２３，２４が配設され、各ＯＮＵ２３，２４が、中継動作を行うＬ２（レイヤ２）スイッチ２９を介して接続された構成となっている。この構成では、ＯＮＵとＯＳＵ間通信では、例えばＯＮＵ２３のＢＴＸから送信されるバースト信号がＯＮＵ２３に対応付けられたＯＳＵ２１のＢＲＸで受信され、ＯＮＵ２４のＢＴＸから送信されるバースト信号がＯＮＵ２４に対応付けられたＯＳＵ２２のＢＲＸで受信される。
【００１５】
一方、ＯＳＵ間通信では、例えばＯＳＵ２１のＴＸから送信された連続信号Ｙ１が、当該ＯＳＵ２１に対応付けられたＯＮＵ２３のＲＸで受信され、この受信された連続信号Ｙ１がＬ２スイッチ２９を介して他方のＯＮＵ２４へ伝送される。他方のＯＮＵ２４では、連続信号Ｙ１がＢＴＸで一旦処理されてバースト信号Ｙ１ａとしてＯＳＵ２２へ送信される。このバースト信号Ｙ１ａはＯＳＵ２２のＢＲＸで受信される。このように、ＯＳＵ２１，２２間の通信を、Ｌ２スイッチ２９で接続された２つのＯＮＵ２３，２４で中継して行うことができる。
【先行技術文献】
【非特許文献】
【００１６】
【非特許文献１】A. V. Tran et al., “Bandwidth-Efficient PON System for Broad-Band Access and Local Customer Internetworking,” IEEE Photon. Technol. Lett.,［online］，Mar.  2006.  ［ 平成２８年 ４月 ５日 検索 ］ ,  インターネット  <  URL：http://ieeexplore.ieee.org/xpls/abs_all.jsp?arnumber=1597291>
【非特許文献２】A. D. Hossain et al.,  “Ring-based local access PON architecture for supporting private networking capability,”  OSA J. OPT. NETW.,  vol. 5, no. 1, pp. 26-39,［online］， Jan.  2006.  ［ 平成２８年 ４月 ５日 検索 ］ , インターネット< URL：https://www.osapublishing.org/jocn/abstract.cfm?uri=JON-5-1-26>
【発明の概要】
【発明が解決しようとする課題】
【００１７】
ところで、上述したシステム１０，１０Ａ，１０Ｂでは、ＯＮＵとＯＳＵ間通信以外に、２つのＯＳＵ間で通信を行うことを前提とした。しかし、３つ以上のＯＳＵに接続されたクラウドエッジが仮想化されている場合は、装置のリソース利用状況を送受信するために、３つ以上のＯＳＵ間で通信を行う必要がある。例えば３つのＯＳＵ間通信を行う場合、１つのＯＳＵから他の２つのＯＳＵへ連続信号でデータ送信を行うケースＫ１と、他の２つのＯＳＵから連続信号で送信されてきたデータを１つのＯＳＵで受信するケースＫ２とがある。このケースＫ２の場合に、次のような問題が生じる。
【００１８】
図９に示したシステム１０では、連続信号Ｙ１とバースト信号Ｙ２との双方が１つのＯＳＵのＢＲＸで受信される際に、双方が重複して受信不可能となっていた。このシステム１０で上記３つ以上のＯＳＵ間通信を行う場合、上記ケースＫ２において、波長の異なる２つの連続信号が１つのＢＲＸで重複して受信されるので、バースト信号Ｙ２を受信しないタイミングでも２つの連続信号が受信できなくなる。
【００１９】
図１１に示したシステム１０Ａでは、送信されて来る連続信号Ｙ１及びバースト信号Ｙ２毎に受信機を備え、例えば連続信号用には連続信号用のＲＸ、バースト信号用にはＢＲＸを備え、１受信機で１信号（連続信号又はバースト信号）を受信する。このため、上述したケースＫ２の場合でも、２つの連続信号と１つのバースト信号とを各々に対応付けられた２つの連続用受信インタフェースＲＸと１つのＢＲＸで受信すればよい。しかし、連続用受信インタフェースＲＸと、それぞれの連続用受信インタフェースからの受信した信号が衝突しないようにＬ２スイッチを配備する必要があるため、ＯＳＵ（光伝送装置）の製作コストが更に高くなる。
【００２０】
図１２に示したシステム１０Ｂでは、ＯＳＵ２１，２２間通信を、Ｌ２スイッチ２９で接続された２つのＯＮＵ２３，２４で中継して行っている。しかし、この中継を、上述したケースＫ２で行う場合、２つの連続信号が中継時にＯＮＵ２４のＢＴＸで一旦処理されて２つのバースト信号としてＯＳＵ２２へ送信される。この２つのバースト信号の送信タイミングが異なっていれば、ＯＳＵ２２のＢＲＸで受信できるが、送信タイミングが同じであれば受信できなくなる。また、上記中継を行う場合、各ＯＮＵ２３，２４及びＬ２スイッチ２９で一旦信号処理を行う必要があり、その分、信号の伝送遅延が増加したり信頼性が低下してしまう。更に、送信側の２つのＯＳＵからの２つの連続信号を他の１つのＯＳＵ宛のみならず、ＯＮＵ２３，２４宛とする信号の伝送帯域が必要となる。このため、帯域消費が増加してしまう。
【００２１】
本発明は、このような事情に鑑みてなされたものであり、２つ以上の連続信号を１つのバースト受信機で受信する上位の光伝送装置間通信と、下位と上位の光伝送装置間通信との双方を、信号の伝送遅延及び帯域消費の増加が生じないように行うことができ、この通信を光伝送装置の製作コストが高くならないように実現することができる光集線ネットワークシステム、光伝送装置及び光伝送方法を提供することを課題とする。
【課題を解決するための手段】
【００２２】
上記課題を解決するための手段として、請求項１に係る発明は、外部装置との間で送受信される信号を終端し、制御主体となる光回線終端装置としての複数のＯＳＵと、前記制御主体に対して客体となる光回線終端装置としての複数のＯＮＵとが光伝送路で接続された構成において、連続信号で送信するＯＳＵ間通信と、ＯＮＵからバースト信号で送信するＯＮＵとＯＳＵ間通信とを並行して行う光集線ネットワークシステムであって、前記ＯＳＵ間通信を複数のＯＳＵ間で行う際に、２以上の他ＯＳＵから前記光伝送路を経由して送信されてきた、各々受信時に異なる位置となるようにデータが重畳された異なる波長の各連続信号を受信して分離し、この分離後の各々の連続信号に格納されたＯＳＵ宛のデータ部分のみを抽出するバースト化処理を行う受信処理部を、前記ＯＳＵの外部又は内部に備えることを特徴とする光集線ネットワークシステムである。
【００２３】
この構成によれば、バースト化処理により得られる各連続信号のデータ部分の信号は、バースト化されているので、ＯＳＵのバースト受信機（ＢＲＸ）で受信可能となる。また、各連続信号のデータ部分は、各々受信時に異なる位置となるようにデータが連続信号に重畳されたものなので、１つのＢＲＸで、２以上の他ＯＳＵからのデータを個別に受信することができる。このため、従来のように、ＯＳＵ間通信を、Ｌ２スイッチで接続された複数のＯＮＵで中継するといった処理が不要となり、従来のような、信号の伝送遅延及び伝送時の帯域消費の増加を無くすことができる。つまり、本発明によれば、２つ以上の連続信号を１つのバースト受信機で受信するＯＳＵ（上位の光伝送装置）間通信と、ＯＮＵとＯＳＵ間（下位と上位の光伝送装置間）の通信との双方を、信号の伝送遅延及び帯域消費の増加が生じないように行うことができる。
【００２４】
請求項２に係る発明は、前記受信処理部が、前記ＯＮＵから前記連続信号のデータ重畳位置の受信タイミングと異なる受信タイミングとなるように送信され、当該連続信号と異なる波長のバースト信号を受信して前記連続信号と分離することを特徴とする請求項１に記載の光集線ネットワークシステムである。
【００２５】
この構成によれば、受信側のＯＳＵが、受信処理部でＯＮＵから送信されてきたバースト信号を連続信号と分離して受信する。バースト信号は、連続信号と異なる波長で、当該連続信号のデータ重畳位置の受信タイミングと異なる受信タイミングとなるようにＯＮＵから送信されてくる。このため、上記分離されたバースト信号は、連続信号のデータと重ならないようにＢＲＸで受信することができる。
【００２６】
請求項３に係る発明は、前記ＯＳＵが、通信対象のＯＳＵ間の距離又は遅延時間を測定し、当該測定された距離又は遅延時間を基に、前記２以上の他ＯＳＵからの連続信号に重畳された各データを、前記ＯＮＵからのバースト信号に重複しないように受信可能とする、前記２以上の他ＯＳＵの各々における送信タイミングを求める送信タイミング導出部を備え、前記送信タイミング導出部で求められた前記送信タイミングが、前記２以上の他ＯＳＵへ送信されて該当する他ＯＳＵに設定されるようにしたことを特徴とする請求項２に記載の光集線ネットワークシステムである。
【００２７】
この構成によれば、ＯＳＵ間通信時に、送信側の各ＯＳＵは、各々のＯＳＵに設定された送信タイミングで、他ＯＳＵ宛のデータを、ＯＳＵでの受信時にバースト信号に重複せず且つ互いのＯＳＵ宛のデータが重複しないように受信側のＯＳＵへ送信できる。このため、受信側のＯＳＵで、送信側の各ＯＳＵからの連続信号中の各データと、ＯＮＵからのバースト信号との個々のデータが重複しないように受信することができる。
【００２８】
請求項４に係る発明は、前記ＯＳＵは、前記設定された送信タイミングに応じて、他送信側のＯＳＵの連続信号に重畳されるデータの受信タイミングと、前記ＯＮＵからのバースト信号の受信タイミングとに対応する連続信号のタイムスロット以外の、タイムスロットに、受信側のＯＳＵ宛のデータを割り当てることを特徴とする請求項３に記載の光集線ネットワークシステムである。
【００２９】
この構成によれば、送信側のＯＳＵは、受信側のＯＳＵで受信される他送信側のＯＳＵからの連続信号中のデータと、バースト信号とに重複しない連続信号のタイムスロット位置に、受信側のＯＳＵ宛データを割り当てることができる。このため、受信側のＯＳＵで、複数の連続信号中の各データと、バースト信号中のデータとを個別に適正受信することができる。
【００３０】
請求項５に係る発明は、前記ＯＳＵは、他ＯＳＵへ送信する連続信号に、当該他ＯＳＵに配備されるバースト受信機で検出可能なバーストヘッダを付加する送信制御部を備えることを特徴とする請求項１〜４の何れか１項に記載の光集線ネットワークシステムである。
【００３１】
この構成によれば、ＯＳＵに通常１つ配備される既存のバースト受信機（ＢＲＸ）でバーストヘッダを検知することにより連続信号をバースト的に受信可能となる。このため、既存の１つのＢＲＸでバースト信号と連続信号との各々を受信可能となる。この発明構成では、従来のように、ＯＳＵに連続信号とバースト信号とを個別に受信する２つの連続用受信インタフェースＲＸと１つのＢＲＸを必要としなくなる。従って、バースト信号と連続信号とを受信する通信を、ＯＳＵ（光伝送装置）の製作コストが高くならないように実現することができる。
【００３２】
請求項６に係る発明は、外部装置との間で送受信される信号を終端し、制御主体となる光回線終端装置としての複数の上位の光伝送装置と、前記制御主体に対して客体となる光回線終端装置としての複数の下位の光伝送装置とが、光伝送路で接続された構成において、他の上位の光伝送装置との通信を連続信号で送信して行うと共に、バースト信号で送信を行う下位の光伝送装置と通信を行う上位の光伝送装置であって、前記上位の光伝送装置間通信を複数の上位の光伝送装置間で行う際に、２以上の他上位の光伝送装置から前記光伝送路を経由して送信されてきた、各々受信時に異なる位置となるようにデータが重畳された異なる波長の連続信号を受信して分離し、この分離後の各々の連続信号に格納された上位の光伝送装置宛のデータ部分のみを抽出するバースト化処理を行う受信処理部を備えることを特徴とする光伝送装置である。
【００３３】
請求項８に係る発明は、外部装置との間で送受信される信号を終端し、制御主体となる光回線終端装置としての複数の上位の光伝送装置と、前記制御主体に対して客体となる光回線終端装置としての複数の下位の光伝送装置とが、光伝送路で接続された構成において、他の上位の光伝送装置との通信を連続信号で送信して行うと共に、バースト信号で送信を行う下位の光伝送装置と通信を行う上位の光伝送装置による光伝送方法であって、前記上位の光伝送装置は、前記上位の光伝送装置間通信を複数の上位の光伝送装置間で行う際に、２以上の他上位の光伝送装置から前記光伝送路を経由して送信されてきた、各々受信時に異なる位置となるようにデータが重畳された異なる波長の連続信号を受信して分離するステップと、前記分離後の各々の連続信号に格納された上位の光伝送装置宛のデータ部分のみを抽出するバースト化処理を行うステップとを実行することを特徴とする光伝送方法である。
【００３４】
請求項６の構成及び請求項８の方法によれば、バースト化処理により得られる各連続信号のデータ部分の信号は、バースト化されているので、上位の光伝送装置のＢＲＸで受信可能となる。また、各連続信号のデータ部分は、各々受信時に異なる位置となるようにデータが連続信号に重畳されたものなので、１つのＢＲＸで、２以上の他の上位の光伝送装置からのデータを個別に受信することができる。このため、従来のように、上位の光伝送装置間通信を、Ｌ２スイッチで接続された複数のＯＮＵで中継するといった処理が不要となり、従来のような、信号の伝送遅延及び伝送時の帯域消費の増加を無くすことができる。つまり、本発明によれば、２つ以上の連続信号を１つのバースト受信機で受信する上位の光伝送装置間通信と、下位と上位の光伝送装置間の通信との双方を、信号の伝送遅延及び帯域消費の増加が生じないように行うことができる。
【００３５】
請求項７に係る発明は、他の前記上位の光伝送装置へ送信する連続信号に、当該上位の光伝送装置に配備されるバースト受信機で検出可能なバーストヘッダを付加する送信制御部を備えることを特徴とする請求項６に記載の光伝送装置である。
【００３６】
この構成によれば、上位の光伝送装置に通常１つ配備される既存のＢＲＸでバーストヘッダを検知することにより、受信処理部により連続信号から切り出されてバースト化された信号を、バースト的に受信可能となる。このため、既存の１つのＢＲＸでバースト信号と連続信号との各々を受信可能となる。この発明構成では、従来のように、上位の光伝送装置に連続信号とバースト信号とを個別に受信する２つの連続用受信インタフェースＲＸと１つのＢＲＸを必要としなくなる。従って、バースト信号と連続信号とを受信する通信を、光伝送装置の製作コストが高くならないように実現することができる。
【発明の効果】
【００３７】
本発明によれば、２つ以上の連続信号を１つのバースト受信機で受信する上位の光伝送装置間通信と、下位と上位の光伝送装置間通信との双方を、信号の伝送遅延及び帯域消費の増加が生じないように行うことができ、この通信を光伝送装置の製作コストが高くならないように実現することができる光集線ネットワークシステム、光伝送装置及び光伝送方法を提供することができる。
【図面の簡単な説明】
【００３８】
【図１】本発明の実施形態に係る光集線ネットワークシステムの構成を示すブロック図である。
【図２】本実施形態の光集線ネットワークシステムのＯＳＵの構成を示すブロック図である。
【図３】（ａ）連続信号の波形図、（ｂ）（ａ）に示す連続信号をバースト化したバースト化信号の波形図である。
【図４】各々受信タイミングが異なる２つのバースト化信号とバースト信号との波形図である。
【図５】本実施形態の光集線ネットワークシステムのＯＮＵの構成を示すブロック図である。
【図６】ＯＳＵ内の送信制御部の構成を示すブロック図である。
【図７】受信処理部の構成を示すブロック図である。
【図８】本実施形態の光集線ネットワークシステムの光伝送動作を説明するためのシーケンス図である。
【図９】従来の光集線ネットワークシステムの構成を示すブロック図である。
【図１０】（ａ）連続信号の波形図、（ｂ）バースト信号の波形図、（ｃ）連続信号とバースト信号が重複した状態を示す波形図である。
【図１１】従来の光集線ネットワークシステムの他の構成を示すブロック図である。
【図１２】従来の光集線ネットワークシステムのその他の構成を示すブロック図である。
【発明を実施するための形態】
【００３９】
以下、本発明の実施形態を、図面を参照して説明する。
＜実施形態の構成＞
図１は、本発明の実施形態に係る光集線ネットワークシステムの構成を示すブロック図である。
図１に示す光集線ネットワークシステム（システム）４０は、前述のＰＯＮ(Passive Optical Network)を適用したリング型ネットワークを構成するものである。このシステム４０は、物理的に独立した上位装置としての複数の光伝送装置４１ａ，４１ｂ，４１ｃと、物理的に独立した下位装置としての複数の光伝送装置４２ａ，４２ｂ，４２ｃとが、光多重分離装置４６ａ，４６ｂ，４６ｃ，４６ｄ，４６ｅ，４６ｆを介して、信号伝送路としての１本の光ファイバ５０によりリング状に接続されて構成されている。なお、光伝送装置４１ａ〜４１ｃを上位装置４１ａ〜４１ｃ、光伝送装置４２ａ〜４２ｃを下位装置４２ａ〜４２ｃとも称す。また、上位装置４１ａ〜４１ｃは請求項記載の上位の光伝送装置を構成し、下位装置４２ａ〜４２ｃは請求項記載の下位の光伝送装置を構成する。
【００４０】
上位装置４１ａ〜４１ｃには、光多重分離装置４６ａ〜４６ｃに接続されたＴＸ（送信機）及びＢＲＸ（バースト受信機）を有するＯＳＵ５１ａ，５１ｂ，５１ｃが配備されている。各ＯＳＵ５１ａ〜５１ｃのＴＸは、後述する送信制御部６０を備える。また、各ＢＲＸと各光多重分離装置４６ａ〜４６ｃとの間には、この各々の間に接続された後述の受信処理部６２を備える。送信制御部６０及び受信処理部６２は、本実施形態の特徴要素である。
【００４１】
下位装置４２ａ〜４２ｃには、光多重分離装置４６ｄ〜４６ｆに接続されたＢＴＸ（バースト送信機）及びＲＸ（受信機）を有するＯＮＵ５３ａ，５３ｂ，５３ｃが配備されている。また、ＯＳＵ５１ａ〜５１ｃにはコアＮＷを介してコンピュータ等の外部装置５５ａ，５５ｂ，５５ｃが接続され、ＯＮＵ５３ａ〜５３ｃには、アクセスＮＷを介してコンピュータ等の外部装置５７ａ，５７ｂ，５７ｃが接続されている。つまり、ＯＳＵ５１ａ〜５１ｃは、外部装置５５ａ〜５５ｃとの間で送受信される信号を終端し、制御主体となる光回線終端装置である。ＯＮＵ５３ａ〜５３ｃは、外部装置５７ａ〜５７ｃとの間で送受信される信号を終端し、制御主体に対して客体となる光回線終端装置である。
【００４２】
また、３つのＯＳＵ５１ａ〜５１ｃは、仮想化されたクラウドエッジ３０に繋がり１つの装置と成されている。ここで、クラウドエッジ３０は、装置のリソース利用状況に応じてユーザ収容位置を動的に切り替える。装置のリソース利用状況はクラウドエッジ間で送受信される。このため、３つのＯＳＵ５１ａ〜５１ｃ間で通信を行う必要がある。ＰＯＮのＯＳＵは連続信号で送信されることが想定されているため、この通信は、「０」、「１」を繰り返す等の連続信号により行われる。
【００４３】
連続信号で３つのＯＳＵ間で通信を行う場合、１つのＯＳＵ（例えばＯＳＵ５１ａ）から他の２つのＯＳＵ（例えばＯＳＵ５１ｂ，５１ｃ）へ連続信号でデータ送信を行うケースＫ１と、他の２つのＯＳＵ（例えばＯＳＵ５１ｂ，５１ｃ）から連続信号で送信されてきたデータを１つのＯＳＵ（例えばＯＳＵ５１ｃ）で受信するケースＫ２とがある。なお、ケースＫ１，Ｋ２は、前述の「発明が解決しようとする課題」のケースＫ１，Ｋ２に対応している。本実施形態では、３つのＯＳＵ間で通信を行う場合を例に挙げて説明するが、３つ以上のＯＳＵ間で通信を行う場合にも同様に適用可能となっている。例えば、４つのＯＳＵ間で通信を行う場合、ケースＫ２では、他の３つのＯＳＵから連続信号で送信されてきたデータを１つのＯＳＵで受信する。
【００４４】
即ち、３つのＯＳＵ５１ａ〜５１ｃ間通信のケースＫ２では、２つのＯＳＵ５１ａ，５１ｂのＴＸから、破線矢印Ｙ１１ａ，Ｙ１１ｂで示す各々波長λ１，λ２が異なる連続信号Ｙ１１ａ，Ｙ１１ｂを送信し、これらの連続信号Ｙ１１ａ，Ｙ１１ｂを光ファイバ５０を介して１つのＯＳＵ５１ｃのＢＲＸで受信する。なお、連続信号Ｙ１１ａ，Ｙ１１ｂは、図１０（ａ）に示した連続信号Ｙ１と同様に「０」、「１」の繰り返し波形であるとする。
【００４５】
一方、図１に示すＯＮＵ５３ａ〜５３ｃは、１又は複数のＯＮＵが１つのＯＳＵに対応付けられている。例えば、ＯＮＵ５３ａがＯＳＵ５１ａに対応付けられ、ＯＮＵ５３ｂがＯＳＵ５１ｂに、ＯＮＵ５３ｃがＯＳＵ５１ｃに対応付けられているとする。また、ＯＮＵ５３ａ〜５３ｃは、例えば１０Ｇｂｐｓのイーサネットで通信を行う。ＯＮＵ５３ａ〜５３ｃからの通信は、対応するＯＳＵ５１ａ〜５１ｃに時分割で行う必要があるのでバースト的に行われる。例えば、一点鎖線の矢印Ｙ１２で示すように、ＯＮＵ５３ｃのＢＴＸから光ファイバ５０を介してＯＳＵ５１ｃへ波長λ１，λ２と異なる波長λ３のバースト信号Ｙ１２で送信され、ＯＳＵ５１ｃのＢＲＸで受信される。なお、バースト信号Ｙ１２は、図１０（ｂ）に示したバースト信号Ｙ２と同波形であるとする。
【００４６】
＜ＯＳＵの構成＞
次に、ＯＳＵ５１ａ〜５１ｃの構成を図２を参照して説明する。但し、各ＯＳＵ５１ａ〜５１ｃは同構成であり、図２には１つのＯＳＵの構成を示している。ＯＳＵ５１ａ〜５１ｃは、バッファ部８１と、波長分波部８２と、光オン・オフ制御部８３と、光バースト受信部８４（ＢＲＸ）と、信号分離部８５と、制御情報受信部８６と、カウンタ管理部８７と、遅延測定部８８と、セレクタ部８９と、クロック同期部９０と、内部クロック部９１と、帯域割当部９２と、ＴＳ（タイムスロット）制御部９３と、光送信部９４（ＴＸ）とを備えて構成されている。
【００４７】
但し、波長分波部８２及び光オン・オフ制御部８３は、図１に示したＯＳＵ５１ａ〜５１ｃのＢＲＸの入力側に接続される受信処理部６２を構成する要素であり、図２ではＯＳＵ５１ａ〜５１ｃの内部に配備されている様態を示す。つまり、受信処理部６２は、ＯＳＵ５１ａ〜５１ｃの外部、内部の何れに配備してもよい。
【００４８】
バッファ部８１は、外部装置５５ａ〜５５ｃから受信したデータに対して、ＯＮＵ宛データｏ１と、他ＯＳＵ宛データｏ２とを識別して別々のキュー部（図６のＯＮＵ用キュー部８１ａ，他ＯＳＵ宛キュー部８１ｂ参照）に格納する。例えば、ＯＳＵ５１ａにおいてバッファ部８１が、ＯＮＵ５３ａ宛のＯＮＵ宛データｏ１と、他ＯＳＵ（ＯＳＵ５１ｂ，５１ｃ）宛の他ＯＳＵ宛データｏ２とを識別して別々のキュー部に格納する。この格納された他ＯＳＵ宛データｏ２を、ＴＳ制御部９３からの指示である他ＯＳＵ宛データの送信タイミングｔｃに従って、送信機としてのＴＸ１から連続信号ｉ１で光送信部９４へ送信する。同時に、バッファ部８１からキュー長情報ｕ１を光送信部９４へ送信する。
【００４９】
一方、バッファ部８１は、ＴＳ制御部９３からの指示が無い場合、アイドル信号（無意味の信号）を挿入してＯＮＵ宛データｏ１を、送信機としてのＴＸ１から連続信号ｉ１で送信し続ける。この連続信号ｉ１は、図１に示すＯＳＵ５１ａであれば、破線矢印Ｙ１１ａ，Ｙ１１ｂで示す連続信号に該当する。また、図２に示すバッファ部８１は、信号分離部８５で分離されたデータｉ２を受信機としてのＲＸ１で受信し、この受信データｉ２をクライアント信号ｏ３として外部装置５６ｃへ送信する。なお、アイドル信号を挿入することで、ＯＮＵ側に配備された連続信号用の受信ＩＦ（インタフェース）としてのＲＸでも、ＯＳＵからの信号を受信可能となる。
【００５０】
波長分波部８２は、他ＯＳＵ（例えばＯＳＵ５１ａ）が光ファイバ５０へ送信した連続信号Ｙ１１ａの波長λ１と、他ＯＳＵ（例えばＯＳＵ５１ｂ）が光ファイバ５０へ送信した連続信号Ｙ１１ｂの波長λ２と、ＯＮＵ（例えばＯＮＵ５３ｃ）から光ファイバ５０へ送信されたバースト信号Ｙ１２の波長λ３とを分ける。言い換えれば、連続信号Ｙ１１ａと、連続信号Ｙ１１ｂと、バースト信号Ｙ１２との３つに分離する。この分離された連続信号Ｙ１１ａ，Ｙ１１ｂは光オン・オフ制御部８３に入力され、バースト信号Ｙ１２は光バースト受信部８４に入力される。
【００５１】
光オン・オフ制御部８３は、入力される光信号を減衰させて出力オフとすると共に、光信号をそのままのパワーで通過させる出力オンとする制御を行うものであり、後述するＶＯＡ（Variable Optical Attenuator：可変光減衰器）等が適用される。この光オン・オフ制御部８３は、ＴＳ制御部９３からの指示であるデータ到着タイミング信号ｍａ，ｍｂに従い、波長分波部８２で分離された連続信号Ｙ１１ａ，Ｙ１１ｂに重畳されたＯＳＵ宛のデータ部分のみを抽出してバースト化する制御を行う。
【００５２】
この制御をより具体的に説明する。例えば、図３（ａ）に示すＯＳＵ５１ａから送信された連続信号Ｙ１１ａにおいて、時刻ｔ１−ｔ２間のタイムスロットＴＳｄにデータが格納（重畳）されているとする。この連続信号Ｙ１１ａが、図２に示す光多重分離装置４６ｃで分離後にＯＳＵ５１ｃの波長分波部８２で分波され、光オン・オフ制御部８３に入力される。この際、光オン・オフ制御部８３は、連続信号Ｙ１１ａ中のデータ部分の到着を示すデータ到着タイミング信号ｍａに従い、図３（ａ）に示すデータ格納部分ＴＳｄのみの連続信号Ｙ１１ａを図３（ｂ）に示すように抽出する。この抽出されるデータ格納部分ＴＳｄの信号を、バースト化信号Ｂ１１ａという。この時、光オン・オフ制御部８３は、時刻ｔ１−ｔ２間のデータ格納部分ＴＳｄ以外では連続信号Ｙ１１ａをカットする。これと同様に、ＯＳＵ５１ｂから送信されてきた連続信号Ｙ１１ｂも、データ格納部分ＴＳｄが抽出されてバースト化信号（図４のＢ１１ｂ）とされる。
【００５３】
図２に示す光バースト受信部８４は、光オン・オフ制御部８３でバースト化されたバースト化信号Ｂ１１ａ，Ｂ１１ｂと、ＯＮＵ５３ｃからのバースト信号Ｙ１２とを受信して信号分離部８５へ出力する。
【００５４】
信号分離部８５は、バースト化信号Ｂ１１ａ，Ｂ１１ｂ及びバースト信号Ｙ１２を、データｉ２と制御信号ｊ１とに分離し、データｉ２をバッファ部８１のＲＸ１へ出力し、制御信号ｊ１を制御情報受信部８６へ出力する。
【００５５】
制御情報受信部８６は、他ＯＳＵ５１ａ，５１ｂからの制御信号ｊ１をもとにクロック信号ｑ１を抽出してクロック同期部９０へ出力する。クロック同期部９０は、クロック信号ｑ１に同期してクロック信号ｃｋ１をセレクタ部８９へ出力する。また、制御情報受信部８６は、制御信号ｊ１に応じて、割当ＴＳ情報ｆ１をＴＳ制御部９３へ出力する。また、制御情報受信部８６は、他ＯＳＵ５１ａ，５１ｂからの制御信号ｊ１内に記載の送信時刻を示すタイムスタンプ値ｅａ，ｅｂを遅延測定部８８へ出力する。
【００５６】
更に、制御情報受信部８６は、他ＯＳＵ５１ａ，５１ｂからの制御信号ｊ１に従い、クロック同期部９０からのクロック信号ｃｋ１と、自ＯＳＵ５１ｃの内部クロック部９１からのクロック信号ｃｋ２との何れかを選択する選択制御信号ｐ１を、セレクタ部８９へ出力する。セレクタ部８９は、選択制御信号ｐ１に応じてクロック信号ｃｋ１又はｃｋ２を選択してカウンタ管理部８７へ出力する。また、制御情報受信部８６は、基準時刻ｃをカウンタ管理部８７へ出力する。
【００５７】
カウンタ管理部８７は、セレクタ部８９で選択されたクロック信号ｃｋ１又はｃｋ２に従い、基準時刻ｃに応じた基準値をインクリメントしてカウンタ値ｇ１を生成し、このカウンタ値ｇ１を遅延測定部８８及びＴＳ制御部９３へ出力する。
【００５８】
遅延測定部８８は、他ＯＳＵ５１ａ，５１ｂからの制御信号ｊ１内に記載の送信時刻を示すタイムスタンプ値ｅａ，ｅｂと、カウンタ管理部８７からのカウンタ値ｇ１とを用い、ＯＳＵ５１ａ−５１ｃ間の距離（又は遅延時間）ｎａと、ＯＳＵ５１ｂ−５１ｃ間の距離（又は遅延時間）ｎｂとを測定してＴＳ制御部９３へ出力する。ＯＳＵ５１ａ−５１ｃ間の距離（又は遅延時間）ｎａをＯＳＵ間距離ｎａと称し、ＯＳＵ５１ｂ−５１ｃ間の距離（又は遅延時間）ｎｂをＯＳＵ間距離ｎｂと称す。ここでは、通信相手の他ＯＳＵ５１ａ，５１ｂの各々に信号を発信してから応答が帰ってくるまでに掛かるＲＴＴ(Round-TripTime)を測定して、ＯＳＵ間距離ｎａ及びＯＳＵ間距離ｎｂを測定する。
【００５９】
また、遅延測定部８８は、各ＯＮＵ５３ａ〜５３ｃと各ＯＳＵ５１ａ〜５１ｃ間の距離（又は遅延時間）ｎｎを測定して、ＴＳ制御部９３へ出力する。なお、各ＯＮＵ５３ａ〜５３ｃと各ＯＳＵ５１ａ〜５１ｃ間の距離（又は遅延時間）ｎｎを、ＯＮＵ−ＯＳＵ間距離ｎｎとも称す。
【００６０】
帯域割当部９２は、制御情報受信部８６で受信された各ＯＳＵ５１ａ〜５１ｃと各ＯＮＵ５３ａ〜５３ｃとの送信トラヒック量ｋ１を検出し、この送信トラヒック量ｋ１から各ＯＳＵ５１ａ〜５１ｃと各ＯＮＵ５３ａ〜５３ｃとに割り当てる帯域量ｓ１を計算し、これをＴＳ制御部９３へ出力する。
【００６１】
ＴＳ制御部９３は、カウンタ管理部８７からのカウンタ値ｇ１と、ＯＳＵ間距離ｎａ及びＯＳＵ間距離ｎｂをもとに、他ＯＳＵ５１ａがＯＳＵ宛データｏ２を自ＯＳＵ５１ｃへ送信するための送信タイミングｔａと、他ＯＳＵ５１ｂがＯＳＵ宛データｏ２を自ＯＳＵ５１ｃへ送信するための送信タイミングｔｂとを算出して、光送信部９４に通知する。
【００６２】
また、ＴＳ制御部９３は、カウンタ値ｇ１と、ＯＮＵ−ＯＳＵ間距離ｎｎとをもとに、他ＯＳＵ５１ａ，５１ｂがＯＮＵ宛データｏ１をＯＮＵ５３ａ，５３ｂへ送信するための送信タイミングｔａｎ，ｔｂｎを算出して、光送信部９４に通知する。各送信タイミングｔａ，ｔｂ，ｔａｎ，ｔｂｎは、例えばタイムスタンプとして通知される。また、各ＯＳＵ５１ａ〜５１ｃ間の通信と、各ＯＳＵ５１ａ〜５１ｃと各ＯＮＵ５３ａ〜５３ｃ間の通信とに割り当てる帯域量ｓ１を光送信部９４に通知する。
【００６３】
ここで、上述した各送信タイミングｔａ，ｔｂは、このタイミングｔａ，ｔｂで他ＯＳＵ５１ａ，５２ｂのＴＸから連続信号Ｙ１１ａ，Ｙ１１ｂで送信される各データｏ２が、自ＯＳＵ５１ｃのＢＲＸで図４に示すバースト化信号Ｂ１１ａ，Ｂ１１ｂとして受信される際に、互いに衝突しない（又は、重ならない）タイミングである。尚且つ同ＯＳＵ５１ｃのＢＲＸで受信されるＯＮＵ５３ｃからの図４に示すバースト信号Ｙ１２とも衝突しないタイミングとされる。つまり、各送信タイミングｔａ，ｔｂと、ＯＮＵ５３ｃからのバースト信号送信タイミングとは、図４に示すように、各バースト化信号Ｂ１１ａ，Ｂ１１ｂとバースト信号Ｙ１２との各々が受信時に衝突しないタイミングとされる。
【００６４】
また、送信タイミングｔａは、自ＯＳＵ５１ｃから他ＯＳＵ５１ａへ送信されて他ＯＳＵ５１ａのＴＸに設定され、また、送信タイミングｔｂは、自ＯＳＵ５１ｃから他ＯＳＵ５１ｂへ送信されて他ＯＳＵ５１ｂのＴＸに設定される。これらの設定後は、ＯＳＵ５１ａのデータｏ２が送信タイミングｔａで連続信号Ｙ１１ａに重畳されて他ＯＳＵ５１ｃへ送信され、また、ＯＳＵ５１ｂのデータｏ２が送信タイミングｔｂで連続信号Ｙ１１ｂに重畳されて他ＯＳＵ５１ｃへ送信される。
【００６５】
言い換えれば、送信される連続信号Ｙ１１ａに重畳されるデータｏ２は、他の連続信号Ｙ１１ｂに重畳されるデータｏ２の受信タイミング及びＯＮＵ５３ｃからのバースト信号Ｙ１２の受信タイミングの各々に対応する図４に示すタイムスロットＴＳｂ，ＴＳｎ以外のタイムスロットＴＳａに割り当てられて、他ＯＳＵ５１ｃへ送信される。
【００６６】
また、連続信号Ｙ１１ｂに重畳されるデータｏ２は、他の連続信号Ｙ１１ａに重畳されるデータｏ２及びバースト信号Ｙ１２の各々の受信タイミングに対応するタイムスロットＴＳａ，ＴＳｎ以外のタイムスロットＴＳｂに割り当てられて、他ＯＳＵ５１ｃへ送信される。
また、ＯＮＵ５３ｃから送信されるバースト信号Ｙ１２は、各連続信号Ｙ１１ａ，Ｙ１１ｂに重畳される各データｏ２の受信タイミングに対応するタイムスロットＴＳａ，ＴＳｂ以外のタイムスロットＴＳｎに割り当てられて、他ＯＳＵ５１ｃへ送信される。
【００６７】
図２に示す光送信部９４は、カウンタ値ｇ１と、帯域量ｓ１と、各ＯＳＵ５１ａ〜５１ｃ間通信時の送信タイミングｔａ，ｔｂと、他ＯＳＵ５１ａと各ＯＮＵ５３ａ，５３ｂ，５３ｃ間通信時の送信タイミングｔａｎ，ｔｂｎとを、光信号である連続信号ｉ１に付与して、光多重分離装置４６ｃを介して他ＯＳＵ５１ａ，５１ｂへ送信する。また、この送信と同様に他ＯＳＵ５１ａ，５１ｂから自ＯＳＵ５１ｃに送信されてきて光送信部９４に設定されたカウンタ値ｇ１と、帯域量ｓ１と、送信タイミングｔｃ，ｔｃｎとに応じて、ＯＮＵ宛データｏ１及び他ＯＳＵ宛データｏ２を、連続信号ｉ１に付与して、ＯＮＵ５３ｃ及び他ＯＳＵ５１ａ，５１ｂへ送信する。なお、連続信号ｉ１は、図１に示すＯＳＵ５１ａ，５１ｂからの連続信号Ｙ１１ａ，Ｙ１１ｂに該当する。遅延測定部８８及びＴＳ制御部９３は、請求項記載の送信タイミング導出部（図７の符号９３Ｔ参照）を構成する。
【００６８】
＜ＯＮＵの構成＞
次に、ＯＮＵ５３ａ，５３ｂ，５３ｃの構成を図５を参照して説明する。各ＯＮＵ５３ａ〜５３ｃは同構成であり、図５には１つのＯＮＵの構成を示している。ＯＮＵ５３ａ〜５３ｃは、バッファ部７１と、光受信部７２（ＲＸ）と、信号分離部７３と、制御情報受信部７４と、クロック同期部７５と、カウンタ管理部７６と、ＴＳ制御部７７と、光バースト送信部７８（ＢＴＸ）とを備えて構成されている。
【００６９】
バッファ部７１は、外部装置５７ａ〜５７ｃの何れか１つから受信されたデータｏ５を蓄積し、この蓄積されたデータｏ５を、送信機であるＴＸ２から光バースト送信部７８へデータｉ５として出力する。また、信号分離部７３からデータｉ６を受信機であるＲＸ２で受信し、これをデータｏ６として外部装置５７ａ〜５７ｃへ送信する。更に、バッファ部７１から各宛先であるＯＳＵ５１ａ〜５１ｃ毎のキュー長情報ｋ２を光バースト送信部７８へ出力する。
【００７０】
光受信部７２は、ＯＳＵ（例えばＯＳＵ５１ａ）からの連続信号（例えば連続信号Ｙ１１ａ）を受信する。
信号分離部７３は、その受信された連続信号Ｙ１１ａを、データｉ６と制御信号ｊ３とに分離し、制御信号ｊ３を制御情報受信部７４へ、データｉ６をバッファ部７１へ出力する。
【００７１】
制御情報受信部７４は、上記の制御信号ｊ３を受信し、ＯＳＵ５１ａからの基準タイミングｃ２と、利用経路に応じたＴＤＭ制御タイミングｄ２とをカウンタ管理部７６へ出力し、また、ＯＳＵ５１ａからの割当ＴＳ情報ｆ２をＴＳ制御部７７へ出力する。
【００７２】
クロック同期部７５は、ＯＳＵ５１ａからの連続信号Ｙ１１ａに対応する下り信号ｂ２に、自ＯＮＵ（例えばＯＮＵ５３ａ）のクロック信号を同期させる。
カウンタ管理部７６は、ＯＳＵ５１ａからの基準タイミングｃ２に応じた基準値を、クロック同期部７５からのクロック信号ｃｋ３に従い、インクリメントして得られるカウンタ値ｇ２を、ＴＳ制御部７７及び光バースト送信部７８へ出力する。
【００７３】
ＴＳ制御部７７は、ＯＳＵ５１ａからの割当ＴＳ情報ｆ２に従い、カウンタ値ｇ２と割当ＴＳ情報ｆ２に記載のタイミング値とを比較して、光バースト送信部７８のＴＳ送信動作の制御を行う制御信号ｈ２を求める。この制御信号ｈ２により、光バースト送信部７８に対してＴＳ送信動作の制御を行う。
【００７４】
光バースト送信部７８は、ＯＳＵ（例えばＯＳＵ５１ｃ）に送信するデータと、制御信号（現在時刻含む）とを合わせて、ＴＳ制御部７７の制御信号ｈ２による制御指示に従った波長で、光バースト信号Ｙ１２を、光多重分離装置４６ｆを介してＯＳＵ５１ｃへ送信する。
【００７５】
＜送信制御部の構成＞
次に、ＯＳＵ５１ａ〜５１ｃに備えられた本特徴の送信制御部６０について、図６を参照して説明する。但し、ＯＳＵ５１ａの送信制御部６０を代表して説明する。ＯＳＵ５１ａのＴＸ（図２の光送信部９４が該当）は、送信制御部６０を備え、送信制御部６０の出力側にＰ／Ｓ（パラレル／シリアル）変換部９４ａと、ＴＸドライバ９４ｂとを備える。送信制御部６０は、セレクタ６０ａと、バースト付加部６０ｂと、マルチプレクサ６０ｃと、アイドル付加部６０ｄとを備えて構成されている。セレクタ６０ａの入力側には、バッファ部８１（図２参照）が接続されている。
【００７６】
バッファ部８１は、ＯＮＵ宛データ（図２の符号ｏ１）を格納するＯＮＵ用キュー部８１ａと、他ＯＳＵ宛データ（図２の符号ｏ２）を格納する他ＯＳＵ用キュー部８１ｂとを備えている。ここで、他ＯＳＵはＯＳＵ５１ｂ，５１ｃである。その格納されたＯＮＵ宛データ及び他ＯＳＵ宛データは、何れも連続信号Ｙ１１ａに重畳されて、ＴＸ（光送信部９４）から光多重分離装置４６を介して光ファイバ５０へ送信されるが、この送信前に、送信制御部６０で次の処理が行われる。即ち、他ＯＳＵ宛データは、指定されたタイムスロットタイミングに従い送信し、それ以外の時間でＯＮＵ宛のデータを送信し、ＯＳＵ及びＯＮＵ宛の何れのデータも無い場合はアイドル信号を送信する。
【００７７】
セレクタ６０ａは、バッファ部８１から、ＯＮＵ宛データの送信タイミングを示す選択制御信号ｓｔ１の例えば「Ｌ」レベルが供給されている際に、ＯＮＵ用キュー部８１ａから出力されるＯＮＵ宛データを選択してマルチプレクサ６０ｃへ出力する。一方、セレクタ６０ａは、バッファ部８１から、他ＯＳＵ宛データの送信タイミングを示す選択制御信号ｓｔ１の例えば「Ｈ」レベルが供給されている際に、他ＯＳＵ用キュー部８１ｂから出力される他ＯＳＵ宛データを選択してバースト付加部６０ｂへ出力する。
【００７８】
バースト付加部６０ｂは、連続信号Ｙ１１ａに重畳される他ＯＳＵ宛データの前方側タイムスロットにプリアンブルとしてバーストヘッダを付加する。このバーストヘッダは、他ＯＳＵ宛データを受信する他ＯＳＵ５１ｂ，５１ｃのＢＲＸが、連続信号Ｙ１１ａに重畳された他ＯＳＵ宛データを受信可能とする、例えばデータ到来の判断や、後述の閾値処理、信号のリセット処理等を行うためのデータ信号である。これらの信号処理を可能とするために、バースト付加部６０ｂで連続信号Ｙ１１ａにバーストヘッダを付加して、ＢＲＸに連続信号を受信処理可能とするバースト信号フォーマットを行うようにした。
【００７９】
但し、連続信号Ｙ１１ａに重畳される他ＯＳＵ５１ｂ，５１ｃへの他ＯＳＵ宛データは、前述したように自ＯＳＵ５１ａのＴＸに設定される送信タイミングｔａに従って送信される。但し、送信タイミングｔａと同様に他ＯＳＵ５１ｂから送信されて来る送信タイミングも自ＯＳＵ５１ａに設定される。
【００８０】
例えば、自ＯＳＵ５１ａから他ＯＳＵ５１ｃへの送信タイミングｔａで、連続信号Ｙ１１ａに重畳されて送信される他ＯＳＵ宛データは、他ＯＳＵ５１ｃで受信される。つまり、その受信時に、自ＯＳＵ５１ａから連続信号Ｙ１１ａで送信されてくるデータが、他ＯＳＵ５１ｂから連続信号Ｙ１１ｂに重畳されてくるデータと、ＯＮＵ５３ｃから送信されてくるバースト信号Ｙ１２とに衝突しない、連続信号Ｙ１１ａのタイムスロット位置に重畳される。このタイムスロット位置の前段にバーストヘッダを付加する。
【００８１】
この付加について更に説明する。例えば、連続信号Ｙ１１ａに重畳される他ＯＳＵ５１ｃへの他ＯＳＵ宛データは、送信タイミングｔａに応じて、他ＯＳＵ５１ｂからの連続信号Ｙ１１ｂに重畳される他ＯＳＵ宛データの受信タイミング及びＯＮＵ５３ｃからのバースト信号Ｙ１２の受信タイミングの各々に対応するタイムスロットＴＳｂ，ＴＳｎ（図４）以外のタイムスロットＴＳａ（図４）に割り当てられる。このため、バーストヘッダは、タイムスロットＴＳａの前方側タイムスロットに付加されることになる。これと同様に、他ＯＳＵ５１ｂへの他ＯＳＵ宛データが割り当てられるタイムスロットＴＳｂの、前方側タイムスロットにバーストヘッダを付加する。
【００８２】
マルチプレクサ６０ｃは、ＯＮＵ宛データが重畳された連続信号Ｙ１１ａと、他ＯＳＵ５１ｂ，５１ｃへの他ＯＳＵ宛データが重畳されると共にバーストヘッダが付加された連続信号Ｙ１１ａとを多重化してアイドル付加部６０ｄへ出力する。アイドル付加部６０ｄは、多重化後の連続信号Ｙ１１ａに無信号区間が存在する場合、その無信号区間に連続信号と同波形のアイドル信号を挿入して、無信号区間を埋める処理を行う。言い換えれば、連続信号Ｙ１１ａに無信号区間を無くして連続信号化する処理を行う。
【００８３】
アイドル付加部６０ｄで処理後の連続信号Ｙ１１ａは、Ｐ／Ｓ変換部９４ａでパラレル／シリアル変換が行われた後に、ＴＸドライバ９４ｂで予め定められた所定パワーの連続信号Ｙ１１ａとされ、光多重分離装置４６ａを介して光ファイバ５０へ送信される。
【００８４】
＜受信処理部の構成＞
次に、図７を参照して、本特徴の受信処理部６２について詳細に説明する。受信処理部６２は、ＯＳＵ５１ｃ（又はＯＳＵ５１ａ，５１ｂ）のＢＲＸと光多重分離装置４６ｃ（又は光多重分離装置４６ａ，４６ｂ）との間に接続されている。この受信処理部６２は、波長フィルタ６２ｅ（図２の波長分波部８２に該当）と、磁気光学素子等を用いたＶＯＡ６２ａ，６２ｂ（図２の光オン・オフ制御部８３に該当）と、光カプラ６２ｄとを備えて構成されている。また、ＯＳＵ５１ｃ（又はＯＳＵ５１ａ，５１ｂ）には、前述した遅延測定部８８及びＴＳ制御部９３（図２）による送信タイミング導出部９３Ｔが備えられている。
【００８５】
波長フィルタ６２ｅには、ＯＳＵ５１ａ，５１ｂ（図１）から光ファイバ５０を経由して光多重分離装置４６ｃで分離されてきた波長λ１の連続信号Ｙ１１ａ及び波長λ２の連続信号Ｙ１１ｂと、ＯＮＵ５３ｃ（図１）から光ファイバ５０を経由して光多重分離装置４６ｃで分離されてきた波長λ３のバースト信号Ｙ１２とが入力される。波長フィルタ６２ｅは、その入力された連続信号Ｙ１１ａ、連続信号Ｙ１１ｂ、バースト信号Ｙ１２の３つの信号を分離し、連続信号Ｙ１１ａをＶＯＡ６２ａへ出力し、連続信号Ｙ１１ｂをＶＯＡ６２ｂへ、バースト信号Ｙ１２を光カプラ６２ｄへ出力する。
【００８６】
ＶＯＡ６２ａ，６２ｂは、磁気光学素子に制御電流が流されていない状態では、入力される光信号がそのままのパワーで出力される。磁気光学素子に制御電流が流されると、その電流量に応じて光信号が減衰する。ここで、磁気光学素子に予め定められた所定電流量の制御電流を流すことで、図３（ａ）及び（ｂ）で説明した連続信号Ｙ１１ａのように、光信号をカットすることができる。
【００８７】
図７に示すＶＯＡ６２ａ，６２ｂは、ＯＳＵ５１ｃの送信タイミング導出部９３Ｔからの指示であるデータ到着タイミング信号ｍａ，ｍｂに従い、波長分波部８２で分波された連続信号Ｙ１１ａ，Ｙ１１ｂに重畳されたデータ部分のみを抽出してバースト化し、このバースト化信号Ｂ１１ａ，Ｂ１１ｂを光カプラ６２ｄへ出力する。光カプラ６２ｄは、バースト化信号Ｂ１１ａ，Ｂ１１ｂ及びバースト信号Ｙ１２を多重化してＯＳＵ５１ｃのＢＲＸへ出力する。
【００８８】
但し、データ到着タイミング信号ｍａ，ｍｂは、ＯＳＵ間で測定した遅延測定結果と各ＯＳＵに割り当てたスロットに従って、送信タイミング導出部９３Ｔで生成される。
【００８９】
＜実施形態の光伝送動作＞
次に、光集線ネットワークシステム４０による光伝送動作を、図８に示すシーケンス図を参照して説明する。
【００９０】
図８のステップＳ１において、ＯＳＵ５１ａのＴＸから当該ＯＳＵ５１ａに対応付けられたＯＮＵ５３ａに、ＯＮＵ宛データが重畳された波長λ１の連続信号Ｙ１１ａが光ファイバ５０を介して送信される。また、ＯＳＵ５１ａのＴＸから他ＯＳＵ５１ｃ，５１ｂの各々に、他ＯＳＵ宛データが重畳された連続信号Ｙ１１ａが光ファイバ５０を介して送信される。これら送信は、各宛先へのデータが連続信号Ｙ１１ａに時分割多重されて行われる。
【００９１】
また、ステップＳ２において、ＯＳＵ５１ｂのＴＸから当該ＯＳＵ５１ｂに対応付けられたＯＮＵ５３ｂに、ＯＮＵ宛データが重畳された波長λ２の連続信号Ｙ１１ｂが光ファイバ５０を介して送信される。また、ＯＳＵ５１ｂのＴＸから他ＯＳＵ５１ａ，５１ｃの各々に、他ＯＳＵ宛データが重畳された連続信号Ｙ１１ｂが光ファイバ５０を介して送信される。これら送信は、各宛先へのデータが連続信号Ｙ１１ｂに時分割多重されて行われる。
【００９２】
また、ステップＳ３において、ＯＳＵ５１ｃのＴＸから当該ＯＳＵ５１ｃに対応付けられたＯＮＵ５３ｃに、ＯＮＵ宛データが重畳された波長λ１〜λ３と異なる波長λｃ（図示せず）の連続信号Ｙ１１ｃが光ファイバ５０を介して送信される。また、ＯＳＵ５１ｃのＴＸから他ＯＳＵ５１ｂ，５１ａの各々に、他ＯＳＵ宛データが重畳された連続信号Ｙ１１ｃが光ファイバ５０を介して送信される。これら送信は、各宛先へのデータが連続信号Ｙ１１ｃに時分割多重されて行われる。
【００９３】
更に、ステップＳ４において、ＯＮＵ５３ａのＢＴＸからＯＳＵ５１ａへ、ＯＳＵ宛データがバースト信号Ｙ１２により送信される。また、ステップＳ５において、ＯＮＵ５３ｂのＢＴＸからＯＳＵ５１ｂへ、ＯＳＵ宛データがバースト信号Ｙ１２により送信される。また、ステップＳ６において、ＯＮＵ５３ｃのＢＴＸからＯＳＵ５１ｃへ、ＯＳＵ宛データがバースト信号Ｙ１２により送信される。なお、ＯＳＵ宛データは、複数のバースト信号Ｙ１２で時分割により送信されるため、ステップＳ４〜Ｓ６では、バースト信号Ｙ１２を複数本の一点鎖線矢印Ｙ１２で表してある。
【００９４】
上記のステップＳ１でＯＳＵ５１ａから、例えば他ＯＳＵ５１ｃへ送信される連続信号Ｙ１１ａには、ＯＳＵ５１ａの他ＯＳＵ宛データが、連続信号Ｙ１１ａのタイムスロットＴＳａ（図４参照）に割り当てられて、他ＯＳＵ５１ｃへ送信される。そのタイムスロットＴＳａは、連続信号Ｙ１１ａにおいて、他の連続信号Ｙ１１ｂに重畳される他ＯＳＵ宛データの受信タイミング及びＯＮＵ５３ｃからのバースト信号Ｙ１２の受信タイミングの各々に対応するタイムスロットＴＳｂ，ＴＳｎ（図４参照）以外のタイムスロットである。これと同様に、他ＯＳＵ５１ｂへ送信される連続信号Ｙ１１ａにもＯＳＵ５１ａの他ＯＳＵ宛データが割り当てられる。また、ステップＳ２，Ｓ３においても、同様に他ＯＳＵ宛データが割り当てられる。これ以降の処理については、ＯＳＵ５１ａの送信と、ＯＳＵ５１ｃの受信とを代表して説明する。
【００９５】
上記のように、他ＯＳＵ宛データが割り当てられた後に、ＯＳＵ５１ａは次のようなバーストヘッダ付加処理を行う。即ち、ＯＳＵ５１ａは、送信制御部６０（図６）により、連続信号Ｙ１１ａの他ＯＳＵ５１ｃへの他ＯＳＵ宛データが重畳される前段にバーストヘッダを付加する。これにより、他ＯＳＵ５１ｃのＢＲＸの前段の受信処理部６２で、連続信号Ｙ１１ａの他ＯＳＵ宛データ重畳部分をバースト化して受信することを可能とする。
【００９６】
そのバースト化は、図７に示した受信処理部６２のＶＯＡ６２ａで行われる。ＶＯＡ６２ａは、ＯＳＵ５１ｃの送信タイミング導出部９３Ｔからの指示であるデータ到着タイミング信号ｍａに従い、波長分波部８２で分波された連続信号Ｙ１１ａに重畳されたデータ部分のみを抽出して、バースト化信号Ｂ１１ａを出力する。データ到着タイミング信号ｍａは、連続信号Ｙ１１ａの他ＯＳＵ５１ｃへのデータ重畳部分の前段に付加されたバーストヘッダを基に生成される。
【００９７】
他のＶＯＡ６２ｂにおいても、データ到着タイミング信号ｍｂに従い、波長分波部８２で分波された連続信号Ｙ１１ｂに重畳されたデータ部分のみが抽出されてバースト化信号Ｂ１１ｂとされる。
【００９８】
これらバースト化信号Ｂ１１ａ，Ｂ１１ｂと、ＯＮＵ５３ｃからのバースト信号Ｙ１２とは、図４に示したように各々タイミングが異なって独立しており、光カプラ６２ｄで多重化されてＯＳＵ５１ｃのＢＲＸで受信される。
【００９９】
＜実施形態の効果＞
以上説明したように、実施形態の光集線ネットワークシステム４０は、図１に示すように、外部装置５５ａ〜５５ｃとの間で送受信される信号を終端し、制御主体となる光回線終端装置としての複数のＯＳＵ５１ａ〜５１ｃと、制御主体に対して客体となる光回線終端装置としての複数のＯＮＵ５３ａ〜５３ｃとが光ファイバ５０で接続された構成において、連続信号（例えば連続信号Ｙ１１ａ，Ｙ１１ｂ）で送信するＯＳＵ５１ａ〜５１ｃ間通信と、ＯＮＵ５３ａ〜５３ｃからバースト信号Ｙ１２で送信するＯＮＵ５３ａ〜５３ｃとＯＳＵ５１ａ〜５１ｃ間通信とを並行して行うようになっている。以下、本発明の特徴について説明する。
【０１００】
（１）ＯＳＵの外部又は内部に、受信処理部６２を備えた。受信処理部６２は、ＯＳＵ間通信を複数のＯＳＵ５１ａ〜５１ｃ間で行う際に、２以上の他ＯＳＵ５１ａ，５１ｂから光伝送路を経由して送信されてきた、各々受信時に異なる位置となるようにデータが重畳された異なる波長の各連続信号Ｙ１１ａ，Ｙ１１ｂを受信して分離し、この分離後の各々の連続信号Ｙ１１ａ，Ｙ１１ｂに格納されたＯＳＵ５１ａ〜５１ｃ宛のデータ部分のみを抽出するバースト化処理を行う。
【０１０１】
この構成によれば、バースト化処理により得られる各連続信号Ｙ１１ａ，Ｙ１１ｂのデータ部分の信号は、バースト化されているので、受信側のＯＳＵ５１ｃのＢＲＸで受信可能となる。また、各連続信号Ｙ１１ａ，Ｙ１１ｂのデータ部分は、各々受信時に異なる位置となるようにデータが連続信号に重畳されたものなので、１つのＢＲＸで、２以上の他ＯＳＵ５１ａ，５１ｂからのデータを個別に受信することができる。このため、従来のように、ＯＳＵ５１ａ−５１ｃ間通信を、Ｌ２スイッチで接続された複数のＯＮＵ５３ｃで中継するといった処理が不要となり、従来のような、信号の伝送遅延及び伝送時の帯域消費の増加を無くすことができる。つまり、本構成によれば、２つ以上の連続信号Ｙ１１ａ，Ｙ１１ｂを１つのＢＲＸで受信するＯＳＵ５１ａ〜５１ｃ（上位の光伝送装置）間通信と、ＯＮＵ５３ｃとＯＳＵ５１ｃ間（下位と上位の光伝送装置間）の通信との双方を、信号の伝送遅延及び帯域消費の増加が生じないように行うことができる。
【０１０２】
（２）受信処理部６２が、ＯＮＵ５３ｃから連続信号Ｙ１１ａ，Ｙ１１ｂのデータ重畳位置の受信タイミングと異なる受信タイミングとなるように送信され、当該連続信号Ｙ１１ａ，Ｙ１１ｂと異なる波長のバースト信号Ｙ１２を受信して連続信号Ｙ１１ａ，Ｙ１１ｂと分離するようになっている。
【０１０３】
これによって、受信側のＯＳＵ５１ｃが、受信処理部６２でＯＮＵ５３ｃから送信されてきたバースト信号Ｙ１２を連続信号Ｙ１１ａ，Ｙ１１ｂと分離して受信する。バースト信号Ｙ１２は、連続信号Ｙ１１ａ，Ｙ１１ｂと異なる波長で、当該連続信号Ｙ１１ａ，Ｙ１１ｂのデータ重畳位置の受信タイミングと異なる受信タイミングとなるようにＯＮＵ５３ｃから送信されてくる。このため、上記分離されたバースト信号Ｙ１２は、連続信号Ｙ１１ａ，Ｙ１１ｂのデータと重ならないようにＢＲＸで受信することができる。
【０１０４】
（３）受信側のＯＳＵ５１ｃが、通信対象のＯＳＵ５１ａ，５１ｂとの間の距離又は遅延時間を測定し、当該測定された距離又は遅延時間を基に、２以上の他ＯＳＵ５１ａ，５１ｂからの連続信号Ｙ１１ａ，Ｙ１１ｂに重畳された各データを、ＯＮＵ５３ｃからのバースト信号Ｙ１２に重複しないように受信可能とする、２以上の他ＯＳＵ５１ａ，５１ｂの各々における送信タイミングｔａ，ｔｂを求める送信タイミング導出部９３Ｔを備える。送信タイミング導出部９３Ｔで求められた送信タイミングｔａ，ｔｂが、２以上の他ＯＳＵ５１ａ，５１ｂへ送信されて該当する他ＯＳＵ５１ａ又は５１ｂに設定されるようにした。
【０１０５】
これによって、ＯＳＵ５１ａ〜５１ｃ間通信時に、送信側の各ＯＳＵ５１ａ，５１ｂは、各々のＯＳＵ５１ａ，５１ｂに設定された送信タイミングｔａ，ｔｂで、他ＯＳＵ５１ｃ宛のデータを、ＯＳＵ５１ｃでの受信時にバースト信号Ｙ１２に重複せず且つ互いのＯＳＵ５１ｃ宛のデータが重複しないように受信側の１つのＯＳＵ５１ｃへ送信できる。このため、受信側のＯＳＵ５１ｃで、送信側の各ＯＳＵ５１ａ，５１ｂからの連続信号Ｙ１１ａ，Ｙ１１ｂ中の各データと、ＯＮＵ５３ｃからのバースト信号Ｙ１２との個々のデータが重複しないように受信することができる。
【０１０６】
（４）ＯＳＵ５１ａ，５１ｂが、設定された送信タイミングに応じて、他送信側のＯＳＵ５１ａ又は５１ｂの連続信号Ｙ１１ａ又は１１ｂに重畳されるデータの受信タイミングと、ＯＮＵ５３ｃからのバースト信号Ｙ１２の受信タイミングとに対応する連続信号Ｙ１１ａ，Ｙ１１ｂのタイムスロット以外の、タイムスロットに、受信側のＯＳＵ５１ｃ宛のデータを割り当てる構成とした。
【０１０７】
この構成によれば、送信側のＯＳＵ５１ａ，５１ｂは、受信側のＯＳＵ５１ｃで受信される他送信側のＯＳＵ５１ａ又は５１ｂからの連続信号Ｙ１１ａ又は１１ｂ中のデータと、バースト信号Ｙ１２とに重複しない連続信号Ｙ１１ａ又は１１ｂのタイムスロット位置に、受信側のＯＳＵ５１ｃ宛データを割り当てることができる。このため、受信側のＯＳＵ５１ｃで、複数の連続信号Ｙ１１ａ，１１ｂ中の各データと、バースト信号Ｙ１２中のデータとを個別に適正受信することができる。
【０１０８】
（５）ＯＳＵ５１ａ，５１ｂは、他ＯＳＵ５１ｃへ送信する連続信号Ｙ１１ａ，１１ｂに、当該他ＯＳＵ５１ｃに配備されるＢＲＸで検出可能なバーストヘッダを付加する送信制御部６０を備えるようにした。
【０１０９】
これによって、ＯＳＵ５１ｃ（又はＯＳＵ５１ａ，５１ｂ）に通常１つ配備される既存のＢＲＸでバーストヘッダを検知することにより連続信号Ｙ１１ａ，１１ｂをバースト的に受信可能となる。このため、既存の１つのＢＲＸでバースト信号Ｙ１２と連続信号Ｙ１１ａ，１１ｂとの各々を受信可能となる。この構成では、従来のように、ＯＳＵ５１ｃに連続信号Ｙ１１ａ，１１ｂとバースト信号Ｙ１２とを個別に受信するＲＸ及び高価なＢＲＸ等の受信機を必要としなくなる。従って、バースト信号Ｙ１２と連続信号Ｙ１１ａ，１１ｂとを受信する通信を、ＯＳＵ５１ａ〜５１ｃ（光伝送装置）の製作コストが高くならないように実現することができる。
【０１１０】
その他、具体的な構成について、本発明の主旨を逸脱しない範囲で適宜変更が可能である。
【符号の説明】
【０１１１】
４０  光集線ネットワークシステム
４１ａ，４１ｂ，４１ｃ  上位の光伝送装置
４２ａ，４２ｂ，４２ｃ  下位の光伝送装置
４６ａ，４６ｂ，４６ｃ，４６ｄ，４６ｅ，４６ｆ  光多重分離装置
５０  光ファイバ
５１ａ，５１ｂ，５１ｃ  ＯＳＵ
５３ａ，５３ｂ，５３ｃ  ＯＮＵ
５５ａ，５５ｂ，５５ｃ，５７ａ，５７ｂ，５７ｃ  外部装置
６０  送信制御部
６０ａ  セレクタ
６０ｂ  バースト付加部
６０ｃ  マルチプレクサ
６０ｄ  アイドル付加部
６２  受信処理部
６２ａ，６２ｂ  ＶＯＡ
６２ｄ  光カプラ
６２ｅ  波長フィルタ
７１  バッファ部
７２  光受信部
７３  信号分離部
７４  制御情報受信部
７５  クロック同期部
７６  カウンタ管理部
７７  ＴＳ制御部
７８  光バースト送信部
８１  バッファ部
８２  波長分波部
８３  光オン・オフ制御部
８４  光バースト受信部
８５  信号分離部
８６  制御情報受信部
８７  カウンタ管理部
８８  遅延測定部
８９  セレクタ部
９０  クロック同期部
９１  内部クロック部
９２  帯域割当部
９３  ＴＳ制御部
９４  光送信部
【図１】
0006506208.tif 000002
【図２】
0006506208.tif 000003
【図３】
0006506208.tif 000004
【図４】
0006506208.tif 000005
【図５】
0006506208.tif 000006
【図６】
0006506208.tif 000007
【図７】
0006506208.tif 000008
【図８】
0006506208.tif 000009
【図９】
0006506208.tif 000010
【図１０】
0006506208.tif 000011
【図１１】
0006506208.tif 000012
【図１２】
0006506208.tif 000013